(57)【要約】【課題】窓枠の設置が大幅に容易になるとともに、窓サッシの開口に対して窓枠が正確な位置に設置される建物ユニットを提供する。【解決手段】柱１１、上梁１２、および下梁１３から形成される略直方体状の骨組み１０と、隣合う柱１１の間に設けられた２本の間柱１４と、間柱１４と間柱１４との間に設置された窓サッシ５と、窓サッシ５に対応して設置された窓枠２と、窓枠２の両側に設けられた内壁パネルとを備え、窓枠２は縦部材２１と横部材２２とを備えて正面矩形状に形成され、内壁パネルは縦部材２１が取り付けられる縦枠１５１と、この縦枠１５１に対向配置される別の縦枠１５２と、これらの縦枠１５１，１５２の上下端部にそれぞれ一端部が接続される横枠１５３，１５４とを有し、縦枠１５１の端部には横枠側に延出する板部材１５１Ａが設けられ、板部材１５１Ａが横枠１５３，１５４に取り付けられる。【選択図】図５
2011252384.tif 000002
【特許請求の範囲】
【請求項１】
柱、上梁、および下梁から形成される略直方体状の骨組みと、前記柱のうち隣合う柱の間に設けられた２本の間柱と、これらの間柱と間柱との間に設置された窓サッシと、この窓サッシに対応して設置された窓枠と、この窓枠の両側に設けられた内壁パネルとを備え、
前記窓枠は縦部材と横部材とを備えて正面矩形状に形成され、
前記内壁パネルは前記縦部材が取り付けられる縦枠と、この縦枠に対向配置される別の縦枠と、これらの縦枠の上下端部にそれぞれ一端部が接続される横枠とを有し、
前記縦枠の端部には前記横枠側に延出する板部材が設けられ、この板部材が前記横枠に取り付けられる
ことを特徴とする建物ユニット。
【請求項２】
請求項１に記載の建物ユニットにおいて、
前記板部材は前記縦枠の上下の両端部の室内側の面にそれぞれ設けられている
ことを特徴とする建物ユニット。
【請求項３】
請求項２に記載の建物ユニットにおいて、
前記板部材の先端部と前記横枠との間および前記縦枠と前記横枠との間には、それぞれ所定間隔のクリアランスが設けられている
ことを特徴とする建物ユニット。
【発明の詳細な説明】
【技術分野】
【０００１】
本発明は、壁体へ窓枠が設置された建物ユニットに関する。
【背景技術】
【０００２】
従来、壁体への窓枠設置は、窓枠を設置するための開口を壁体に形成し、その開口に窓枠を位置決めしつつ取り付けていた（特許文献１参照）。
図６に示すように、壁体の両端側の柱９１，９１間に一対の間柱９４，９４が設けられており、これらの間柱９４，９４間に窓サッシ９６が設置されている。この窓サッシ９６に対応する窓枠９を設置する際には、壁体両側の柱９１，９１とこの間柱９４，９４とのそれぞれの間に、枠体９５，９５をそれぞれ設置する。
次いで、枠体９５，９５のそれぞれの縦部材９５１，９５１間に窓枠９の形状寸法に応じて腰壁パネル９８等を設置することで、縦部材９５１，９５１、および腰壁パネル９８で囲まれた窓枠設置用の正面コ字状の開口を形成し、この開口において、枠体９５，９５の縦部材９５１と縦部材９５１との間に窓枠９を位置決めして取り付ける。
【０００３】
なお、図６は、柱９１、上梁９２、および下梁９３から直方体状の骨組みが形成される建物ユニットにおける窓枠設置を示している。
また、枠体９５，９５にはそれぞれ、石膏ボードなどが設けられ、これら枠体９５，９５と石膏ボードとで内壁部材を構成する。あるいは、これら枠体９５，９５と面材とで内壁パネルを構成する。
【先行技術文献】
【特許文献】
【０００４】
【特許文献１】特開２００４−１９３６２（図１）
【発明の概要】
【発明が解決しようとする課題】
【０００５】
ここで、従来の窓枠設置方法では、窓枠を枠体の縦部材に対して位置決めしつつ取付けなければならず、窓枠を作業者が持ちながら所定の高さ位置に取り付けなければならないため、作業者への負担が大きい。
また、内壁パネルを構成する枠体の縦部材に対して窓枠を正確に位置決めしたとしても、間柱に固定される窓サッシの開口に対して窓枠の位置がずれてしまうことがあった。
【０００６】
本発明の目的は、窓枠の設置が大幅に容易になるとともに、窓サッシの開口に対して窓枠が正確な位置に設置される建物ユニットを提供することにある。
【課題を解決するための手段】
【０００７】
本発明の建物ユニットは、柱、上梁、および下梁から形成される略直方体状の骨組みと、前記柱のうち隣合う柱の間に設けられた２本の間柱と、これらの間柱と間柱との間に設置された窓サッシと、この窓サッシに対応して設置された窓枠と、この窓枠の両側に設けられた内壁パネルとを備え、前記窓枠は縦部材と横部材とを備えて正面矩形状に形成され、前記内壁パネルは前記縦部材が取り付けられる縦枠と、この縦枠に対向配置される別の縦枠と、これらの縦枠の上下端部にそれぞれ一端部が接続される横枠とを有し、前記縦枠の端部には前記横枠側に延出する板部材が設けられ、この板部材が前記横枠に取り付けられることを特徴とする。
ここで、前記板部材は前記縦枠の上下の両端部の室内側の面にそれぞれ設けられている構成が好ましい。
さらに、前記板部材の先端部と前記横枠との間および前記縦枠と前記横枠との間には、それぞれ所定間隔のクリアランスが設けられていることが好ましい。
【０００８】
本発明の関連技術である窓枠設置方法は、図面を参照すると、柱（１１）、上梁（１２）、および下梁（１３）から略直方体状の骨組み（１０）が形成され隣合う柱（１１）の間に設けられた間柱（１４）と間柱（１４）との間に窓サッシ（５）が設置された建物ユニット（１）に縦部材（２１）と横部材（２２）とを有する正面矩形状の窓枠（２）を設置する方法であって、窓枠（２）の縦部材（２１）を前記間柱（１４）の長さ寸法とほぼ等しい縦枠（１５１）に取り付ける窓枠・縦枠取付工程と、窓枠（２）が取り付けられた前記縦枠（１５１）を前記窓サッシ（５）に対して位置決めして前記間柱（１４）に取り付ける縦枠・間柱取付工程とを備えることを特徴とする。
【０００９】
この関連技術によれば、縦枠（１５１）に対して窓枠（２）を床などの平面内で取り付けることが可能となり、この窓枠（２）が取り付けられた状態の縦枠（１５１）を起こして、間柱（１４）に沿って取り付ける。これにより、窓枠（２）を持ち上げながら壁体（３）の所定高さ位置に位置決めする作業が不要となる。
ここで、平面方向における位置決め作業・取付作業自体が垂直方向における位置決め作業・取付作業に比べて容易であることに加えて、縦枠（１５１）の長さと間柱（１４）の長さとがほぼ等しいことから、窓枠・縦枠取付工程において、窓サッシ（５）の開口に対応する所定位置に窓枠（２）が位置するように、窓枠（２）を容易に取り付けることが可能となる。
【００１０】
すなわち、窓枠（２）の設置作業において、窓枠（２）を建物ユニット（１）壁体（３）における所定高さ位置に位置決めする肝要な作業は建物ユニット（１）の壁から離れた状態で行われるから、窓枠（２）設置用の開口を建物ユニット（１）壁体（３）に予め形成しておくことを不要にできる。
また、縦枠（１５１）と間柱（１４）との長さはほぼ等しいため窓枠（２）が取り付けられた状態の縦枠（１５１）を間柱（１４）に取り付ける際、この窓枠（２）が取り付けられた状態の縦枠（１５１）を床に置いた状態、もしくはこれに近い状態で作業することも可能である。これにより、窓枠（２）を正確な位置に、かつ大幅に容易に設置することが可能となる。
【００１１】
これに加えて、関連技術では、窓枠（２）が取り付けられた縦枠（１５１）を間柱（１４）に取り付ける構成としたことから、間柱（１４）に既に設置された或いはこれから設置される窓サッシ（５）を基準位置として窓枠（２）を位置決め可能となる。すなわち、従来とは異なり、窓枠が設置される位置が内壁パネルの枠体等の位置によって規定されないため、窓サッシ（５）の開口位置と窓枠（２）の位置とを一致させることができる。
【００１２】
本発明の関連技術の窓枠設置方法では、前記縦枠（１５１）の上下端部にそれぞれ一端部が接続される各横枠（１５３，１５４）を前記骨組み（１０）に取り付ける横枠取付工程と、前記各横枠（１５３，１５４）の他端部にそれぞれ接続される前記縦枠（１５１）とは別の縦枠（１５２）を前記骨組み（１０）に取り付ける別縦枠取付工程と、前記各横枠（１５３，１５４）、前記縦枠（１５１）、および前記別の縦枠（１５２）に内壁材（１５５）を取り付ける内壁材取付工程とを備えることが好ましい。
【００１３】
この関連技術によれば、縦枠（１５１）、別の縦枠（１５２）、各横枠（１５３，１５４）から構成される矩形状の枠体を有する内壁パネル（１５）が形成されることになる。ここで、窓枠（２）が取り付けられる縦枠（１５１）が内壁パネル（１５）の心材を兼ねることから、窓枠（２）の設置に際して部材点数の減少が実現する。
ここで、縦枠（１５１）と横枠（１５３，１５４）のそれぞれとの間には、所定間隔のクリアランスを設けることが好ましい。これにより、縦枠の位置と横枠の位置とが多少ずれていてもこれら縦枠および横枠を容易に施工できる。
【００１４】
本発明の関連技術の窓枠設置方法では、前記縦枠・間柱取付工程は前記縦枠（１５１）を前記間柱（１４）に調整部材（１７１，１７２）を介して取り付けることが好ましい。
この関連技術によれば、調整部材（１７１，１７２）を介して窓枠（２）を建物ユニット（１）のより正確な位置に設置することができる。
【００１５】
本発明の関連技術の窓枠設置方法は、隣合う柱（１１）の間に設けられた間柱（１４）と間柱（１４）との間に窓サッシ（５）が設置された壁体（３）に縦部材（２１）と横部材（２２）とを有する正面矩形状の窓枠（２）を設置する方法であって、窓枠（２）の縦部材（２１）を前記間柱（１４）の長さ寸法とほぼ等しい縦枠（１５１）に取り付ける窓枠・縦枠取付工程と、窓枠（２）が取り付けられた前記縦枠（１５１）を前記窓サッシ（５）に対して位置決めして前記間柱（１４）に取り付ける縦枠・間柱取付工程とを備えることを特徴とする。
【００１６】
この関連技術によれば、前述と同様に、縦枠（１５１）に対して窓枠（２）を床などの平面内で取り付けることが可能となり、窓枠（２）を持ち上げながら壁体（３）の所定高さ位置に位置決めする作業が不要となって窓枠（２）の位置決め作業・取付作業が容易になるとともに、縦枠（１５１）と間柱（１４）との長さがほぼ等しいことから、窓枠（２）を建物ユニット（１）の正確な位置に容易に取り付けることが可能となる。
また、窓サッシ（５）を基準位置として窓枠（２）を位置決め可能となるので、窓サッシ（５）の開口位置と窓枠（２）の位置とを一致させることができる。
すなわち、窓枠（２）を正確な位置に、かつ大幅に容易に設置することが可能となる。
【発明の効果】
【００１７】
以上の本発明によれば、窓枠設置が格段に容易となり、また、窓サッシの開口に対して窓枠をより正確な位置に設置することが可能となる。
【図面の簡単な説明】
【００１８】
【図１】本発明の一実施形態における建物ユニットの構成概略斜視図。
【図２】前記建物ユニットの壁体の横断面図。
【図３】図２のＡ部拡大図。
【図４】前記建物ユニットの壁体の部分拡大断面図。
【図５】前記建物ユニットへの窓枠設置方法を示す図。
【図６】従来の窓枠設置方法を示す図。
【発明を実施するための形態】
【００１９】
以下、本発明の一実施形態を図面を参照して説明する。
図１は、建物ユニット１の斜視図である。この図１は、建物ユニット１の構成概略を示し、窓サッシ５に対応する窓枠２が設置された壁体３における特徴的部分のみ具体的に示している。
建物ユニット１は、柱１１、上梁１２および下梁１３を含んで構成された直方体状の骨組み１０を備え、本実施形態では、その一側面を構成する壁体３に窓サッシ５および窓枠２が設置されている。なお、図１で、４は床パネルである。
【００２０】
壁体３の両端の柱１１，１１間には、窓サッシ５が固定される一対の間柱１４，１４が設けられている。そして、両端の柱１１，１１のそれぞれと間柱１４，１４との間には、内壁パネル１５，１５がそれぞれ設けられている。
内壁パネル１５は、図１に示すように、各縦枠１５１，１５２および各横枠１５３，１５４を含み矩形状に形成された心材と、板状の内壁材１５５（図２）とを有している。ここで、縦枠１５１，１５２の長さは、間柱１４の長さとほぼ等しい。
【００２１】
窓枠２は、一対の縦部材２１，２１および一対の横部材２２，２２から正面矩形状に形成されている。なお、これらの縦部材２１および横部材２２のそれぞれは、単一の部材で形成されていてもよいし、窓枠２の内側および室内側に露出する化粧部材と、この化粧部材の窓枠外側に設けられる下地材とから形成されていてもよい。
【００２２】
図２は、壁体３の横断面を示す。窓枠２は、内壁パネル１５，１５間に室内側から設置されている。なお、図２で、１６は外壁パネルを示している。
また、窓サッシ５は、サッシ枠５１と、ガラス縁５２およびガラス５３（図３参照）とを有して構成されている。
【００２３】
図３は、図２のＡ部拡大図であり、窓枠２の建物ユニット１への取付部分を示す。縦部材２１の窓枠外側の面が内壁パネル１５の縦枠１５１に取付けされており、この縦枠１５１が調整部材１７１，１７２を介して間柱１４に取付けられている。これらの調整部材１７１，１７２は、例えば木製板材とされている。
【００２４】
図４は、壁体３の部分拡大断面図である。縦枠１５１と横枠１５３との間にはクリアランスＣが形成されており、これと同様のクリアランスが縦枠１５１と横枠１５４との間にも形成されている。すなわち、縦枠１５１の上下の端部のそれぞれにおける室内側の面には、横枠１５３，１５４側に延出する板部材１５１Ａが設けられており、この板部材１５１Ａを横枠１５３，１５４に取り付けることによってクリアランスＣが形成されている。
なお、本実施形態では、このクリアランスＣの幅は約３ｍｍとしているが、これに限らない。
【００２５】
次に、窓枠２の設置方法の一例を説明する。図５を参照する。
先ず、柱１１，１１間に間柱１４，１４を立設し、間柱１４，１４に窓サッシ５を固定する。
次いで、内壁パネル１５，１５のそれぞれにおける一方の縦枠１５１，１５１に、窓枠２の縦部材２１，２１をそれぞれ取り付ける（窓枠・縦枠取付工程）。例えば、図３において、縦枠１５１側から窓枠２の縦部材２１側に（図３上方から下方に）釘打ちして取り付ける。
この窓枠・縦枠取付工程では、縦枠１５１の所定位置に対して窓枠２を位置決めして取り付ける。この窓枠２の位置決め・取付作業は、床パネル４などの上などで行うことができる。
【００２６】
こうして、窓枠２が取り付けられた縦枠１５１，１５１を図５のように起こし、この縦枠１５１，１５１のそれぞれを、窓サッシ５を基準に位置決めして間柱１４，１４に取り付ける（縦枠・間柱取付工程）。なお、縦枠１５１の長さが間柱１４の長さとほぼ等しいことから、縦枠１５１を間柱１４に沿わせて容易に取り付けできる。また、縦枠１５１の長さが間柱１４の長さとほぼ等しいことから、縦枠１５１を間柱１４に取り付けた際に、縦枠１５１に取り付けられた窓枠２の高さ位置が所定位置に合う。
このように、内壁パネル１５の縦枠１５１を利用して窓枠２が設置される。
【００２７】
なお、縦枠・間柱取付工程では、縦枠１５１の間柱１４への取付位置を調整部材１７１，１７２（図３）により調整する。具体的に、調整部材１７１によって窓枠２の厚み方向に調整し、調整部材１７２によって窓枠２の横幅方向に調整する。
【００２８】
本実施形態では、上記の縦枠・間柱取付工程後に、内壁パネル１５の一方の縦枠（縦枠１５１とは別の縦枠）１５２と、各横枠１５３，１５４とをそれぞれ骨組み１０に取り付ける（別縦枠取付工程および横枠取付工程）。この際、前記のクリアランスＣにより、縦枠１５１の設置位置が多少ずれていても、横枠１５３，１５４および縦枠１５２を容易に施工できる。
この別縦枠取付工程および横枠取付工程により、内壁パネル１５の縦枠１５１の上下端部が横枠１５３，１５４とそれぞれ接続され、縦枠１５１，１５２および横枠１５３，１５４で形成される枠体に内壁材１５５（図２）を設けることで、内壁パネル１５が形成される（内壁材取付工程）。なお、内壁材１５５はクロス等で仕上げられる。
以上のような窓枠設置工程を経て、窓枠２は建物ユニット１に設置される（図１）。
【００２９】
なお、前記各工程の順序に関し、窓枠２を縦枠１５１に取り付ける窓枠・縦枠取付工程が、縦枠１５１を間柱１４に取り付ける縦枠・間柱取付工程の前である限り、各工程相互の順序は特に問わない。
例えば、上記施工手順とは異なり、縦枠１５２や各横枠１５３，１５４を骨組み１０にそれぞれ取り付けてから、縦枠１５１を間柱１４に取り付けてもよい。また、窓枠２の縦部材２１を縦枠１５１に取り付けてから、縦部材２１に横部材２２を取り付けて窓枠２を形成してもよい。
【００３０】
本実施形態の窓枠設置方法によれば、次のような効果が得られる。
（１）窓枠２の縦部材２１，２１をそれぞれ縦枠１５１，１５１に取付けてから（窓枠・縦枠取付工程）、その窓枠２が取り付けられた縦枠１５１，１５１をそれぞれ間柱１４，１４に沿って設置する（縦枠１５１・間柱１４取付工程）ことにより、縦枠１５１，１５１に対して窓枠２を床などの平面内で取り付けることが可能となる。すなわち、窓枠２を持ち上げながら壁体３の所定高さ位置に位置決めする作業が不要となって窓枠２の位置決め作業・取付作業が容易になる、また、縦枠１５１と間柱１４との長さがほぼ等しいことから、窓枠２を窓サッシ５の開口に対応する所定の位置に容易に取り付けることが可能となる。
これに加えて、窓枠２が取り付けられた縦枠１５１を間柱１４に取り付ける構成としたことから、間柱１４に既に設置された窓サッシ５を基準位置として窓枠２を位置決め可能となる。すなわち、従来とは異なり、窓枠が設置される位置が内壁パネルの枠体等の位置によって規定されないため、窓サッシ５の開口に対して窓枠２の位置を一致させることができる。
【００３１】
（２）縦枠１５１は内壁パネル１５の心材を兼ねるため、窓枠２の設置に際して部材点数の減少が実現する。
【００３２】
（３）間柱１４に縦枠１５１を調整部材１７１，１７２を介して取り付けているため、この調整部材１７１，１７２を介して窓枠２を建物ユニット１のより正確な位置に設置することができる。
【００３３】
なお、前記実施形態では建物ユニット１の壁体３における窓枠設置方法について述べたが、建物ユニットではなく、ユニット式工法以外の例えば鉄骨軸組み構造における壁体に窓枠を設置する場合も、前記同様の方法により、窓枠を設置できる。すなわち、前記縦枠１５１のように縦方向に延びる部材に窓枠の縦部材を取り付けてから、この縦枠１５１を軸組みに取り付けることにより、前記同様の効果が得られる。
【００３４】
また、前記実施形態のように、窓枠２の縦部材２１，２１の両方を縦枠１５１，１５１にそれぞれ取り付けてから、縦枠・間柱取付工程を行うことが作業性および位置決めの正確さのうえで好ましいが、少なくとも一方の縦枠１５１に縦部材２１を取り付けることにより、一定の作業の容易化および位置決めの正確さを実現できる。
なお、前記実施形態における窓枠２の設置と略同様にして、壁体の高さ略全体に亘って設けられる窓枠の設置も行える。
【００３５】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００３６】
本発明は、サッシおよび窓ガラス等が設けられ、あるいは開放状態とされる各種窓枠の設置に利用できる。
【符号の説明】
【００３７】
１…建物ユニット、２…窓枠、３…壁体、５…窓サッシ、１０…骨組み、１１…柱、１２…上梁、１３…下梁、１４…間柱、１５…内壁パネル、２１…縦部材、２２…横部材、１５１…縦枠、１５２…縦枠（別の縦枠）、１５３…横枠、１５４…横枠、１５５…内壁材、１７１…調整部材、１７２…調整部材、Ｃ…クリアランス
【図１】
2011252384.tif 000003
【図２】
2011252384.tif 000004
【図３】
2011252384.tif 000005
【図４】
2011252384.tif 000006
【図５】
2011252384.tif 000007
【図６】
2011252384.tif 000008